(57)【特許請求の範囲】
【請求項１】
シャーシ面に対して可動に設けられており、磁気テープの引き出し部及び突起状の位置決めピンを有するテープガイド部材と、
前記シャーシ面に対して表面が傾斜しており、前記テープガイド部材の位置決めを行う際に、前記位置決めピンが当接される当接部が形成された位置決め部材とを含み、
前記当接部は、前記シャーシ面に対して略垂直であり、前記テープガイド部材と接触する第１の接触点を含む第１の切り欠き面と、前記シャーシ面に対して略垂直であり、前記テープガイド部材と接触する第２の接触点を含む第２の切り欠き面とが互いに対向して形成され、
前記第２の切り欠き面の一部は、前記略垂直な面に隣接して、前記第１の接触点と前記第２の接触点との間の垂直距離を短縮させるように面取りが施されていることを特徴とする位置決め機構。
【請求項２】
磁気テープに対して情報の記録又は再生を行うための磁気ヘッドを有する回転シリンダと、
前記磁気テープを収納するカセットを装着し、該カセットを前記回転シリンダ装置に対して支持するカセット載置手段と、
前記磁気テープを前記カセットから引き出して、該磁気テープを所定テープパスに沿って走行させるようにしたローディング手段とを含み、
前記ローディング手段は、請求項１に記載の位置決め機構をその一部として含むことを特徴とする記録再生装置。
【請求項３】
前記位置決め部材が、前記回転シリンダの取り付けベースと一体形成されていることを特徴とする請求項２に記載の記録再生装置。
【発明の詳細な説明】
【０００１】
【発明の属する技術分野】
本発明は、磁気テープをテープカセットから引き出して所定位置に固定するための位置決め機構及びこの位置決め機構が搭載された記録再生装置に関する。
【０００２】
【従来の技術】
ＶＴＲ等の記録・再生装置としては、テープカセット装着後に磁気テープがテープガイド部材によってテープカセットから引き出されて、回転シリンダに巻き付けられるものが一般的である。
【０００３】
従来の記録・再生装置において、ローディング時には、テープガイド部材が案内部材に形成された溝部に案内されて位置決め部材まで移動し、テープガイド部材のテープ引き出しポストがテープカセットから磁気テープを引き出す。そして、テープガイド部材が溝部の終端まで達し、その位置決めピンが位置決め部材に略Ｖ字形状に切り欠き形成された当接部に当接することによって位置が定められると、磁気テープが回転シリンダに巻き付けられて、所定のテープパスが形成される。
【０００４】
近年では、ＶＴＲの更なる小型化が進んでおり、それに伴って、テープガイド部材が上下方向に移動するとともに、位置決め部材の表面がメインシャーシの表面に対して傾斜している製品が増加している。この場合、位置決め部材の当接部の一例を図６に示す。テープガイド部材４の端面は、図６（ａ）に示すようにメインシャーシ１０２の表面に対して略垂直な面で形成されているか、或いは図６（ｂ）に示すように位置決め部材２の表面に対して略垂直な面で形成されている。
【０００５】
【発明が解決しようとする課題】
しかしながら、図６（ａ）のように位置決め部材２を構成した場合、略Ｖ字状に切り込みが施されてなる当接部２ａと当接した際の位置決めピン４ａに対して、図中矢印Ａで示すような偶力によってモーメントが発生する。このモーメントは、本来テープガイド部材４を所定位置に位置決めするためにテープガイド部材４に作用するモーメントとは逆向きに働くものであり、従ってテープガイド部材４の位置決め安定性が著しく損なわれるという問題がある。
【０００６】
一方、近時では製造コスト低減化のために位置決め部材を回転ドラムベースと一体にモールド（プラスチック材）で形成する場合が多く、図６（ｂ）のように位置決め部材２を構成するには、その製造工程において金型に所定のスライド機構を設ける必要があり、金型の構造が極めて複雑となるとともにその製造コストが高くなる。更にこの場合、製品（位置決め部材２）の多数個取りを行うことが困難であり、成形コストが高くなるという問題がある。
【０００７】
そこで、本発明の目的は、テープガイド部材の位置決めを安定且つ正確に行うことが可能であり、しかも簡易な構成で製造時に金型にスライド機構を設けることを不要として製造コストの削減化を図り、信頼性の高い位置決め機構及び当該位置決め機構を磁気テープのローディング機構の一部として備える記録再生装置を提供することである。
【０００８】
【課題を解決するための手段】
本発明の位置決め機構は、シャーシ面に対して可動に設けられており、磁気テープの引き出し部及び突起状の位置決めピンを有するテープガイド部材と、前記シャーシ面に対して表面が傾斜しており、前記テープガイド部材の位置決めを行う際に、前記位置決めピンが当接される当接部が形成された位置決め部材とを含み、前記当接部は、前記シャーシ面に対して略垂直であり、前記テープガイド部材と接触する第１の接触点を含む第１の切り欠き面と、前記シャーシ面に対して略垂直であり、前記テープガイド部材と接触する第２の接触点を含む第２の切り欠き面とが互いに対向して形成され、前記第２の切り欠き面の一部は、前記略垂直な面に隣接して、前記第１の接触点と前記第２の接触点との間の垂直距離を短縮させるように面取りが施されている。
【０００９】
本発明の記録再生装置は、磁気テープに対して情報の記録又は再生を行うための磁気ヘッドを有する回転シリンダと、前記磁気テープを収納するカセットを装着し、該カセットを前記回転シリンダ装置に対して支持するカセット載置手段と、前記磁気テープを前記カセットから引き出して、該磁気テープを所定テープパスに沿って走行させるようにしたローディング手段とを含み、前記ローディング手段は、上記の位置決め機構をその一部として含む。
【００１０】
本発明の記録再生装置の一態様では、前記位置決め部材が、前記回転シリンダの取り付けベースと一体形成されている。
【００１５】
【作用】
本発明の位置決め機構においては、磁気テープのローディング時に、テープガイド部材が移動して位置決めピンが位置決め部材の当接部に当接する際に、当接部の切り欠き面に施された面取りにより、位置決めピンが直接当接する切り欠き面の各力点間の垂直距離が当該面取りの分だけ短縮され、各力点に作用する偶力に起因して発生するモーメントの絶対値が小さくなる。従って、前記面取りを調節することにより、この絶対値を無視し得る程度に抑えることが可能となり、当接部によって位置決めピンを安定に保持してテープガイド部材を確実に位置決めすることができる。
【００１６】
【発明の実施の形態】
以下、本発明の一実施形態を図面に基づいて説明する。なお、従来例（図６）で説明したものと実質的に同一又は対応する部材については、同一の符号を用いるものとする。
【００１７】
ここで先ず、本実施形態に係る記録・再生装置の全体構成を説明する。図１に示すように、記録・再生装置１００は、磁気テープ２０１に対して情報の記録又は再生を行う回転シリンダ１０１を備えている。この回転シリンダ装置１０１はメインシャーシ１０２の所定位置に配置されている。また、メインシャーシ１０２にはテープリール等が配置され、回転シリンダ１０１に対向した位置に、磁気テープ２０１を収納したテープカセット２００が装着されている。
【００１８】
また、記録・再生装置１００は、キャプスタン１０６、キャプスタンモータ１０５、回転シリンダ１０１に対するテープ進入側におけるテープ引出用のテープガイド部材４’（スライダ）及び回転シリンダ１０１に対するテープ出側におけるテープ引出用のテープガイド部材４（スライダ）、テープガイド部材４，４’が各々の位置決めピン４ａを当接させて位置決めがなされる位置決め部材２等を備えている。
【００１９】
そして、メインシャーシ１０２上には、テープガイド部材４，４’の移動方向を定めるための溝部８が形成された案内部材３が固定されている。また、メインシャーシ１０２上には位置決め部材２も固定されており、溝部８は回転シリンダ装置１０１の近傍では位置決め部材２に形成されている。
【００２０】
本実施形態においては、位置決め部材２、案内部材３及びテープガイド部材４，４’から構成される機構を位置決め機構と称する。位置決め部材２の近傍を拡大した様子を図２（ａ）（概略平面図）、図２（ｂ）（概略側面図）に、更に位置決め部材２の当接部２ａの近傍を拡大した様子を図２（ｃ）（概略側面図）にそれぞれ示す。
【００２１】
位置決め部材２は、回転シリンダ（回転ドラム）１０１のベース（基板）と一体に形成されたものであり、図２（ａ）に示すように、略Ｖ字状に切り込みが施されて当接部２ａが形成されている。この当接部２ａにおいては、図２（ｂ）に示すように、切り欠き面Ｓ１，Ｓ２のうち、メインシャーシ１０２の表面に対する傾斜によって相対的に上方に位置する切り欠き面Ｓ１の一部に、メインシャーシ１０２の表面と略垂直な面に対して面取りが施されており、従って切り欠き面Ｓ１がメインシャーシ１０２の表面と略垂直な面Ｓ１１と面取りによって形成されたＳ１２とから構成されている。この切り欠き面Ｓ１の面取りは、テープガイド部材４の厚みｔの半分以上に対して施されており、面Ｓ１１のメインシャーシ１０２の表面と略垂直な面に対する角度が、位置決め部材２の表面のメインシャーシ１０２の表面に対する傾斜角より大きく設定されている。一方、切り欠き面Ｓ２は、面Ｓ１１と略平行とされている。
【００２２】
次に、記録・再生装置１００におけるテープローディング動作を図３及び図４を用いて説明する。先ず、図３に示すように、メインシャーシ１０２上にテープカセット２００が装着された後、テープガイド部材４，４’が溝部８に沿って移動することによって、テープカセット２００の開口部２００ａから磁気テープ２０１が引き出されてゆく。
【００２３】
そして、移動したテープガイド部材４，４’は、案内部材３から位置決め部材２まで溝部８に沿って進み、各位置決めピン４ａが位置決め部材２の当接部２ａに当接することによって位置が定められる。このときの様子を図５（ａ）（概略平面図）、図５（ｂ）、図５（ｃ）（共に概略側面図）にそれぞれ示す。本実施形態においては、位置決めピン４ａが当接部２ａに当接する際に、当接部２ａのい２点Ｐ１，Ｐ２により位置決めピン４ａが支持される。ここで、力点Ｐ１と力点Ｐ２間の垂直距離ｈは、切り欠き面Ｓ１に面取りされてなる面Ｓ１１によって極めて小値となり、従って発生するモーメントの大きさも無視し得る程度の値となって、テープガイド部材４，４’が位置決め部材２に安定に保持されることになる。
【００２４】
そして、図４に示すように、テープガイド部材４，４’がこの位置に達することで、テープガイド部材４，４’上のテープ引き出しポスト５，６によって磁気テープ２０１が磁気ヘッドが設けられた回転シリンダ１０１に巻き付けられる。かくして、この記録・再生装置１００によれば、磁気テープ２０１を所定のテープパスに沿って走行させ、回転シリンダ１０１の磁気ヘッドによって磁気記録の書き込み・読み出しを行うことにより、記録又は再生を行うことができる。
【００２５】
上述のように、本実施形態の記録・再生装置１００の位置決め機構においては、磁気テープ２０１のローディング時に、テープガイド部材４，４’が移動して位置決めピン４ａが位置決め部材２の当接部２ａに当接する際に、当接部２ａの切り欠き面Ｓ１に施された面取りにより、位置決めピン４ａが直接当接する切り欠き面Ｓ１の各力点Ｐ１，Ｐ２間の垂直距離ｈが当該面取りの分だけ短縮され、各力点Ｐ１，Ｐ２に作用する偶力に起因して発生するモーメントの絶対値が小さくなる。従って、前記面取りを調節することにより、この絶対値を無視し得る程度に抑えることが可能となり、当接部２ａによって位置決めピン４ａを安定に保持してテープガイド部材４を確実に位置決めすることができる。
【００２６】
即ち、本実施形態の記録・再生装置１００によれば、テープガイド部材４の位置決めを安定且つ正確に行うことが可能であり、しかも簡易な構成で位置決め機構の製造時に金型にスライド機構を設けることが不要であって安価とすることができる。
【００２７】
【発明の効果】
本発明によれば、テープガイド部材の位置決めを安定且つ正確に行うことが可能であり、しかも簡易な構成で製造時に金型にスライド機構を設けることが不要であって安価となる、信頼性の高いテープ位置決め機構及び当該テープ位置決め機構を磁気テープのローディング機構の一部として備える記録再生装置を提供することができる。
【図面の簡単な説明】
【図１】  本発明の一実施形態における記録・再生装置を示す概略平面図である。
【図２】  本発明の一実施形態における記録・再生装置の構成要素である位置決め機構のうち、テープガイド部材の当接部の様子を示す一部拡大図である。
【図３】  本発明の一実施形態における記録・再生装置において、磁気テープを引き出す前の状態を示す概略平面図である。
【図４】  本発明の一実施形態における記録・再生装置において、ローディング動作により磁気テープを引き出し、位置決めがなされた状態を示す概略平面図である。
【図５】  本発明の一実施形態における記録・再生装置の構成要素である位置決め機構のうち、テープガイド部材が当接部に当接した様子を示す一部拡大図である。
【図６】  従来の記録・再生装置の一構成例において、テープガイド部材が当接部に当接した様子を示す一部拡大図である。
【符号の説明】
２  位置決め部材
２ａ  当接部
３  案内部材
４，４'  テープガイド部材
４ａ  位置決めピン
５，６  テープ引き出しポスト
８  溝部
１００  記録・再生装置
１０１  回転シリンダ
１０２  メインシャーシ
１０５  キャプスタンモータ
１０６  キャプスタン
２００  テープカセット
２０１  磁気テープ
Ｓ１  （面取りが施された）切り欠き面
Ｓ２  （面取りが施されない）切り欠き面
Ｓ１１  切り欠き面Ｓ１で面取りが施されない面
Ｓ１２  切り欠き面Ｓ１で面取りが施された面
Ｐ１，Ｐ２  力点
ｔ  テープガイド部材４の厚み
【図１】
0003832942.tif 000002
【図２】
0003832942.tif 000003
【図３】
0003832942.tif 000004
【図４】
0003832942.tif 000005
【図５】
0003832942.tif 000006
【図６】
0003832942.tif 000007